(57)【要約】【課題】本発明の課題は、被視対象面上で視点或いはその近辺位置が、監視者において不明になった場合に、その履歴（現在及び現在より前のデータ）を提供し、不明性を回復することが可能な視点位置履歴管理装置を提供することである。【解決手段】本発明の視点位置履歴管理装置は、光点投光手段と、投光された被視対象面を撮影するカメラと、撮影された画像を表示する表示手段と、撮影画像を記憶及び、制御プログラムを格納するメモリと、制御プログラムによって動作する制御手段と、を有し、カメラは、被視対象面上に投光され光点を含む画面を所望の時間間隔で撮影した各画像から光点の履歴を演算・取得して画像光点として表示手段において提供するものである。【選択図】図１
2020154907.tif 000002
【特許請求の範囲】
【請求項１】
被視対象面の監視者の視点又は前記視点近辺位置に光を投光し光点を与える光点投光手段と、投光された前記被視対象面を撮影するカメラと、前記撮影された画像を表示する表示手段と、前記撮影画像を記憶及び、制御プログラムを格納するメモリと、前記制御プログラムによって動作する制御手段と、を有し、前記カメラは、前記被視対象面上に投光され前記光点を含む画面を所望の時間間隔で撮影した各画像から光点の履歴を演算・取得して画像光点として前記表示手段において提供し、前記監視者において一時的に失った前記光点位置を示し回復させるものであることを特徴とする視点位置履歴管理装置。
【請求項２】
前記光点投光手段は、前記監視者が使用するメガネ又は前記監視者の頭部に配置されることを特徴とする請求項１記載の視点位置履歴管理装置。
【請求項３】
前記表示手段への前記画像光点は、前記所望の時間間隔で撮影した各画像の複数の前記画像光点を前記表示手段の１画面に合成表示したことを特徴とする請求項１又は請求項２記載の視点位置履歴管理装置。
【請求項４】
前記光点は、複数個の光点で構成されていることを特徴とする請求項１から請求項３のいずれか１つに記載の視点位置履歴管理装置。
【請求項５】
前記光点形状は、輪形、矢印形状であることを特徴とする請求項１から請求項４のいずれか１つに記載の視点位置履歴管理装置。
【請求項６】
前記制御プログラムは、パーソナルコンピュータ、タブレット、スマートフォンに搭載され、前記カメラ、前記表示手段、前記メモリ、前記制御手段を前記パーソナルコンピュータ、タブレット、スマートフォンに内蔵されたものを使用したことを特徴とする請求項１から請求項５のいずれか１つに記載の視点位置履歴管理装置。
【発明の詳細な説明】
【技術分野】
【０００１】
本発明は、被視対象面上で視点或いはその近辺位置が、監視者において不明になった場合に、その履歴（現在及び現在より前のデータ）を提供し、不明性を回復することが可能な視点位置履歴管理装置に関するものである。
【背景技術】
【０００２】
先行特許文献１では、「注視点」という言葉が使われているが、本願の視点位置とは意味がことなり、カメラの焦点検出領域に対して撮影者が注目している領域の意味であり、本願の論旨に類似点或いは接点はない。特許文献２では、視点検出装置であるが、操作者がタッチパネルでタッチ操作を行う場合、目画像がタッチ位置を見ているとの仮定のもとに、目画像を撮影して、タッチ位置を視点位置の補正に利用するものである。視点位置等の単語が出てくるが、本願の主旨とは無関係で示唆を受ける内容はない。同様なものとしては、特許文献３がある。特許文献４では、視点位置の推定に眼球運動を検出していて、そこから求めた視点位置を画面に表示するようなポインティングデバイスについて記述している。
これも本願の主旨とは無関係で示唆を受ける内容はない。
更に特許文献４に似ているものとして、特許文献５では、首の動きに追従する光源をマウントし、ディスプレイ上で光点を光電素子のフィルタで最も明るい位置を検出し、そこに対応する位置にカーソルを表示するものである。これも本願の主旨とは無関係で示唆を受ける記述内容はない。
【先行技術文献】
【特許文献】
【０００３】
【特許文献１】特開Ｈ４−１４９４１３
【特許文献２】特開２０１５−４６１１１
【特許文献３】特開Ｈ９−４４３１０
【特許文献４】特開Ｈ４−３２３７１５
【特許文献５】特開Ｈ２−１１０６２２
【発明の概要】
【発明が解決しようとする課題】
【０００４】
本願の課題は、被視対象面上で視点或いはその近辺位置が、監視者において不明になった場合に、その履歴（現在及び現在より前のデータ）を提供し、不明性を回復することが可能な視点位置履歴管理装置を提供することである。
【課題を解決するための手段】
【０００５】
以下請求項に沿い記述する。
請求項１記載の発明は、視点位置履歴管理装置であって、
被視対象面の監視者の視点又は前記視点近辺位置に光を投光し光点を与える光点投光手段と、投光された前記被視対象面を撮影するカメラと、前記撮影された画像を表示する表示手段と、前記撮影画像を記憶及び、制御プログラムを格納するメモリと、前記制御プログラムによって動作する制御手段と、を有し、前記カメラは、前記被視対象面上に投光され前記光点を含む画面を所望の時間間隔で撮影した各画像から光点の履歴を演算・取得して画像光点として前記表示手段において提供し、前記監視者において一時的に失った前記光点位置を示し回復させるものであることを特徴とする。
【０００６】
請求項２記載の発明は、請求項１記載の視点位置履歴管理装置において、
前記光点投光手段は、前記監視者が使用するメガネ又は前記監視者の頭部に配置されることを特徴とする。
【０００７】
請求項３記載の発明は、請求項１又は請求項２記載の視点位置履歴管理装置において、
前記表示手段への前記画像光点は、前記所望の時間間隔で撮影した各画像の複数の前記画像光点を前記表示手段の１画面に合成表示したことを特徴とする。
【０００８】
請求項４記載の発明は、請求項１から請求項３のいずれか１つに記載の視点位置履歴管理装置において、前記光点は、複数個の光点で構成されていることを特徴とする。
【０００９】
請求項５記載の発明は、請求項１から請求項４のいずれか１つに記載の視点位置履歴管理装置において、前記光点形状は、輪形、矢印形状であることを特徴とする。
【００１０】
請求項６記載の発明は、請求項１から請求項５のいずれか１つに記載の視点位置履歴管理装置において、前記制御プログラムは、パーソナルコンピュータ、タブレット、スマートフォンに搭載され、前記カメラ、前記表示手段、前記メモリ、前記制御手段を前記パーソナルコンピュータ、タブレット、スマートフォンに内蔵されたものを使用したことを特徴とする。
【発明の効果】
【００１１】
以上の様に構成されているので、本発明による視点位置履歴管理装置では、被視対象面上で視点或いはその近辺位置の不明性が回復できるので、即座に次の行動に移行できるので効果的な業務が行える。
【図面の簡単な説明】
【００１２】
【図１】本発明にかかる視点位置履歴管理装置の一実施態様を示す図である。
【図２】本発明にかかる視点位置履歴管理装置の使用の場合の一実施態様を示す図である。
【図３】本発明にかかる視点位置履歴管理装置の動作の一実施態様を示す図である。
【図４】本発明にかかる視点位置履歴管理装置の動作フローの一実施態様を示す図である。
【発明を実施するための形態】
【００１３】
図１は、本発明にかかる視点位置履歴管理装置の一実施態様を示す図である。
ＬＥＤ等の光を投光する光点投光手段１１０と投光された被視対象面を撮影するカメラ１２０と、撮影画像を表示する表示手段１３０と、撮像画像を記憶及び、制御プログラムを格納するメモリ１４０と、制御手段１５０を有し、図示されない被視対象面（例えば、紙媒体等の書面・画面、デジタル表示器画面など）上に光点投光手段１１０で投光された光点と画面を所望の時間間隔で撮影し、各画像から光点の履歴を演算・取得して提供し、監視者において一時的に失った光点位置を示し回復させるものである。一時的に失うことは、よくあることで、業務の中断や、意図しない短時間の居眠り（一瞬の意識喪失）などで、どこを見ていたか分からなくなることはよくあることで、その都度、再度見直すため、余分な時間を喪失していることは誰しも経験していることである。尚、光点投光手段１１０は、監視者の視点又はその近辺位置にあるように監視者の頭部（首部を含む）に配置されることが望ましく、この図では、メガネ１６０に設置した例である。又、視点の近辺位置というのは、必ずしも視点自体である必要はないという事で、例えば、監視者が、視点から一行離れた真上位置に光点を持ってくるような運用を決めれば、視点そのものの位置である必要はないわけである。このような監視者自体の規準では、光点の一行だけ真下の位置が本来の視点であるとみなせるからである。尚、光点投光手段１１０には、当然、電源が供給されている。
【００１４】
図２は、本発明にかかる視点位置履歴管理装置の使用の場合の一実施態様を示す図である。
この図では、監視者２００は、頭部に光点投光手段１１０を付けて、被視対象面（例えば、書面）２１０を見ている。光点２２０が画像光点として被視対象面２１０の視点又はその近辺位置に写っている。この画面をカメラ１２０が予め設定した所望の時間間隔で撮影し、表示手段１３０に表示されている。この表示手段１３０上の表示は、現在点の１点だけだが、複数の視点を演算し１画面に合成する表示も可能であり、その場合は、視点の移動方向を示す表示が可能である。次々と新たな視点画像データが取れるので、設定により最終又は現在より複数点を残し、前のデータを新たなデータで上書きすることで少ないメモリ容量で対応できる。このような作用により、例えば、業務の中断や意図しない意識喪失により、視点を失っても、前の位置を取得して円滑に業務を継続できる。
【００１５】
図３は、本発明にかかる視点位置履歴管理装置の動作の一実施態様を示す図である。
表示手段１３０上の画面を示している。３−Ａでは、画像光点（表示手段上の画像の光点）３００が左下にあり、現在点より前が、左に３点示されている。例えば、監視者は左から書面の文字を読んで来た場合には、正常に進んできている状態をしめす。偶々、３−Ｂのように画像光点３００が行を変えて上中央付近に移っているが、この場合、監視者は、自らの意図で光点を移動した場合は、そのままその視点での行動を続ける。或いは、一時的に動いた場合で、よくあることだが、同じ位置に視点を保持し続けるのは、疲れるもとになるので、監視者が知っている動きは気にする必要がない。ところが、３−Ｃに示すように、意図しない短時間の居眠り（一瞬の意識喪失）などが有った場合は、監視者はそのことが分かるので、視点位置を回復するために前回までの履歴を参照にして視点を移動することができる。
【００１６】
図４は、本発明にかかる視点位置履歴管理装置の動作フローの一実施態様を示す図である。
先ず、１）本動作を開始させる。２）初期設定するかどうか。３）初期設定する場合は、撮影時間間隔、表示点数などの所望の設定を行う。４）初期設定が終わった場合や、すでに設定済の場合は、光点画面の撮影がされる。５）光点履歴が表示手段１３０に表示される。６）光点位置修正が必要か聞いてくる。必要でない場合は、放置してよい。放置すると４）に戻る。必要な場合は、７）光点位置を修正する。この場合、光点位置修正の意思を伝える動作をいれてもよい。修正の後は、４）に戻る。９）では終了かどうかをチェックしていて、８）終了スイッチが押されれば、終了となり、押されて無ければ、いつまでも動作を繰り返す。
【００１７】
尚、この動作フローは、動作プログラムとして構成されメモリ１４０に格納され、動作に供される。尚、カメラ１２０、表示手段１３０、メモリ１４０、制御手段１５０を有している通常のパーソナルコンピュータやタブレット、スマートフォン等に動作プログラムを搭載することで、光点投光手段１１０を加えれば、本願の装置が容易に構成でき、極めて好都合である。
又、光点は、監視者の視認の関係で可視光の光点が都合がよいが、可視光でなくともカメラ取りができることが必要である。
尚、以上の説明では一個の光点（点形状）を扱ったが、複数の光点であってもよい。又、円形に配列された複数の光点（輪形）や、矢印のような形状を持った光点でもよい。
【産業上の利用可能性】
【００１８】
以上のように本発明にかかる視点位置履歴管理装置は、被視対象面上で視点或いはその近辺位置が、監視者において不明になった場合に、その履歴（現在及び現在より前のデータ）を提供し、不明性を回復することが可能なので、産業上利用して極めて好都合である。
【００１９】
１１０  光点投光手段
１２０  カメラ
１３０  表示手段
１４０  メモリ
１５０  制御手段
１６０  メガネ
２００  監視者
２１０  被視対象面
２２０  光点
３００  画像光点
【図１】
2020154907.tif 000003
【図２】
2020154907.tif 000004
【図３】
2020154907.tif 000005
【図４】
2020154907.tif 000006